(57)【要約】【課題】空気調和機の電気部品の冷却を確保し、外気温が上昇しても十分な冷房能力を得ることができ、電気部品への水分や異物の浸入防止し信頼性をより高めること。【解決手段】圧縮機と、室外熱交換器、膨張弁、室内熱交換器を環状に接続し冷媒回路を構成し、室外機の電気部品が収められた電装箱の表面に低圧側配管を密接して備えることにより、低圧側配管の冷却管３１により電装箱３０を冷却するため、外気温度が上昇しても電気部品を十分に冷却でき、電気部品の温度上昇による圧縮機の運転低減を行う必要がなく、常に高い冷房能力を得ることができるとともに、信頼性を向上することができる。【選択図】図１
2008057856.tif 000002
【特許請求の範囲】
【請求項１】
圧縮機と、室外熱交換器、膨張弁、室内熱交換器を環状に接続し冷媒回路を構成し、室外機の電気部品が収められた電装箱の表面に低圧側配管を密接して備えたことを特徴とした空気調和機。
【請求項２】
防振材を介して電装箱の表面に低圧側配管を密接したことを特徴とする請求項１に記載の空気調和機。
【請求項３】
膨張弁で減圧後の配管に分岐管を設け、分岐後の低圧配管を電装箱の表面に密接し、圧縮機の吸入側に合流したことを特徴とする請求項１又は２に記載の空気調和機。
【請求項４】
膨張弁で減圧後の配管に設けた分岐管の後に、分岐回路を開閉する電磁弁を設けたことを特徴とする請求項３に記載の空気調和機。
【請求項５】
電気部品が収められた電装箱を密閉したことを特徴とする請求項１から４に記載の空気調和機。
【発明の詳細な説明】
【技術分野】
【０００１】
本発明はインバーター等、冷却が必要な電気部品を有した空気調和機に関するものである。
【背景技術】
【０００２】
従来、この種の空気調和機の室外機は熱交用送風機による負圧を利用して、吸気口より導入した外気で電気部品を冷却し、熱交用送風機側へ排気している（例えば、特許文献１参照）。図２は前記文献に記載された空気調和機を示すものである。図２において熱交用送風機の回転による負圧により機械室外気取入口１１から導入した外気で電気部品１０を冷却し、通気口９より排気を行っている。
【特許文献１】特開２００３−１０６５６９号公報
【発明の開示】
【発明が解決しようとする課題】
【０００３】
しかしながら、前記従来の構成では、外気温度が上昇すると電気部品の冷却が不足して温度が上昇し、電気部品の保護のため圧縮機の回転数を下げる必要があり、高外気温時に十分な冷房能力を得られないという課題と、吸気口や排気口より浸入した水分や異物により、電気部品の寿命低下や故障を発生させてしまうという課題を有していた。
【０００４】
本発明は、前記従来の課題を解決するもので、電気部品の冷却を確保し、外気温が上昇しても十分な冷房能力を得ることができ、電気部品への水分や異物の浸入防止し信頼性をより高めた空気調和機室外機を提供することを目的とする。
【課題を解決するための手段】
【０００５】
前記従来の課題を解決するために、本発明の空気調和機は、室外機の電気部品が収められた電装箱の表面に低圧側配管を密接させることにより、電装箱内の電気部品を冷却するものである。この冷却によって電気部品の温度上昇を抑制することを目的とする。
【０００６】
さらに、電気部品が収められた電装箱を密閉することにより、電気部品への水分や異物の浸入を防止することを目的とする。
【発明の効果】
【０００７】
本発明の空気調和機は、室外機の電気部品が収められた電装箱の表面に低圧側配管を密接して備えたことにより、外気温度が上昇しても電気部品を十分に冷却でき、高い冷房能力を得ることができるとともに、信頼性を向上することができる。
【発明を実施するための最良の形態】
【０００８】
第１の発明は圧縮機と、室外熱交換器、膨張弁、室内熱交換器を環状に接続し冷媒回路を構成し、室外機の電気部品が収められた電装箱の表面に低圧側配管を密接して備えることにより、外気温度が上昇しても電気部品を十分に冷却でき、電気部品の温度上昇による圧縮機の運転低減を行う必要がなく、常に高い冷房能力を得ることができるとともに、信頼性を向上することができる。
【０００９】
第２の発明は、特に、第１の発明において、防振材を介して電装箱の表面に低圧側配管を密接したことにより、配管振動の電装箱への伝搬を抑制することができる。
【００１０】
第３の発明は、特に、第１又は第２の発明において、膨張弁で減圧後の配管に分岐管を
設け、分岐後の低圧配管を電装箱の表面に密接し、圧縮機の吸入側に合流したことにより、必要量の冷媒を電装箱の冷却に使用することができる。
【００１１】
第４の発明は、特に、第３の発明の分岐管の後に、分岐回路を開閉する電磁弁を設けたことにより、電気部品の冷却が不要な場合は弁を閉じることにより、運転効率を高めることができる。
【００１２】
第５の発明は、特に、第１から第４の発明の電装箱を密閉することにより、電気部品への水分や異物の浸入を防止し、電気部品の劣化を防止し寿命と信頼性を向上することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の構成図を示すものである。図１において、室外機２１と室内機２２は配管２３と配管２４により接続されており、室外機２１の圧縮機２５から吐出された冷媒ガスは室外熱交換器２６で凝縮され、膨張弁２７で減圧されて低温の冷媒になる。分岐管２８は配管２３を通って室内機２２へ向かう冷媒と、電気部品２９を密閉して収めた電装箱３０の表面の冷却管３１へ向かう冷媒に分岐させる。室内機２２へ送られた冷媒は室内熱交換器３２で室内を冷却後に配管２４を通って圧縮機２５へ戻る。
【００１５】
一方、電装箱３０へ向かう冷媒は、電磁弁３３を通って冷却管３１で防振材３４を介して電装箱３０を冷却した後、室内機２２から戻ってきた冷媒と合流して圧縮機２５へ戻る。
【００１６】
電気部品２９は内部に温度センサ３５を備えており、室外機２１の機能部品を制御し、電磁弁３３の開閉も行うように構成している。
【００１７】
以上のように構成された空気調和機について、以下その動作、作用を説明する。冷房運転開始時、電磁弁３３は閉じている。運転開始後、外気温度が高く、圧縮機２５を高速回転させて運転すると、電気部品２９の発熱が大きくなる。電気部品２９の信頼性を保てる温度の上限値となったことを温度センサ３５が感知すると、電磁弁３３を開く。電磁弁３３が開くと、減圧され低温になった冷媒が冷却管３１に流れ、防振材３４を介して電装箱３０が冷却され内部の温度は低下し、電気部品２９の温度上昇は抑制される。
【００１８】
さらに、電装箱３０は密閉されているため、内部の電気部品２９に水分や異物が付着することもなく、電気部品２９の寿命と信頼性をより高めることができる。
【産業上の利用可能性】
【００１９】
以上のように、本発明にかかる空気調和機は、高い外気温で十分な冷房能力を得ることが可能となるので、屋外に設置し電気部品の冷却が必要な自動販売機等の用途にも適用できる
【図面の簡単な説明】
【００２０】
【図１】本発明の実施の形態１における空気調和機の構成図
【図２】従来の空気調和機の室外機の正面からの部分断面図
【符号の説明】
【００２１】
２５  圧縮機
２６  室外熱交換器
２７  膨張弁
２８  分岐管
２９  電気部品
３１  冷却管
３２  室内熱交換器
３３  電磁弁
３４  防振材
【図１】
2008057856.tif 000003
【図２】
2008057856.tif 000004